(57)【要約】【課題】電子機器がリモコン装置によって操作される場合の誤動作を軽減する。【解決手段】リモコン装置によって操作可能な電子機器に備えられた受光装置２と、受光装置２で受信された光信号を読み取り電子機器を制御するマイコン１と、受光装置２に内蔵され受光感度を制御するＩＣ２ｂとを備えた受光装置２の受光感度制御システムにおいて、マイコン１に接続されたＬＥＤ３と、ＬＥＤ光の一部を受光装置２に導くプリズム４とを備え、受光装置２の受光感度ピークはリモコン装置からのキャリア周波数に対応しており、ＬＥＤ光のキャリア周波数は、リモコン装置からのキャリア周波数に対しずれている。【選択図】図１
2008131425.tif 000002
【特許請求の範囲】
【請求項１】
光信号を送信するリモートコントロール装置によって操作可能なテレビに備えられた、前記光信号を受信する受光装置と、
前記受光装置に接続され、前記受光装置で受信された光信号を読み取り、前記電子機器を制御するマイクロコンピュータと、
前記受光装置に内蔵され、前記受光装置の受光感度を制御するＩＣと、
を備えた受光装置の受光感度制御システムを備えたテレビにおいて、
前記マイクロコンピュータに接続された、当該テレビの電源がオン状態のときに発光する電源インジケータ用ＬＥＤと、
前記ＬＥＤから発せられた光の一部を前記受光装置に導くプリズムと、
をさらに備え、
前記ＩＣは、前記受光装置に入射する光量が増加すると前記受光感度を下げ、前記光量が減少すると前記受光感度を上げ、
前記受光装置の受光感度ピークは前記リモートコントロール装置からの前記光信号のキャリア周波数に対応しており、前記ＬＥＤから発光する光のキャリア周波数は、前記リモートコントロール装置から送信される前記光信号のキャリア周波数をＦｏとすると、Ｆｏ±１ｋＨｚであることを特徴とするテレビ。
【請求項２】
光信号を送信するリモートコントロール装置によって操作可能な電子機器に備えられた、前記光信号を受信する受光装置と、
前記受光装置に接続され、前記受光装置で受信された光信号を読み取り、前記電子機器を制御するマイクロコンピュータと、
前記受光装置に内蔵され、前記受光装置の受光感度を制御するＩＣと、
を備えた受光装置の受光感度制御システムにおいて、
前記マイクロコンピュータに接続されたＬＥＤと、
前記ＬＥＤから発せられた光の一部を前記受光装置に導く導光手段と、
を備えることを特徴とする受光装置の受光感度制御システム。
【請求項３】
前記ＩＣは、前記受光装置に入射する光量が増加すると前記受光感度を下げ、前記光量が減少すると前記受光感度を上げることを特徴とする請求項２に記載の受光装置の受光感度制御システム。
【請求項４】
前記ＬＥＤから発光する光のキャリア周波数は、前記受光装置の受光可能なキャリア周波数範囲内の周波数であり、前記受光装置の受光感度ピークは前記リモートコントロール装置から送信される前記光信号のキャリア周波数に対応しており、前記ＬＥＤから発光する光のキャリア周波数は、前記リモートコントロール装置からのキャリア周波数に対しずれていることを特徴とする請求項２又は３に記載の受光装置の受光感度制御システム。
【請求項５】
前記導光手段は、プリズムを含むことを特徴とする請求項２〜４のいずれかに記載の受光装置の受光感度制御システム。
【請求項６】
前記導光手段は、光学シートを含むことを特徴とする請求項２〜５に記載の受光装置の受光感度制御システム。
【請求項７】
前記ＬＥＤは、前記電子機器の電源がオン状態のときに発光する電源インジケータ用のＬＥＤであることを特徴とする請求項２〜６のいずれかに記載の受光装置の受光感度制御システム。
【請求項８】
前記ＬＥＤから発光する光のキャリア周波数は、前記リモートコントロール装置から送信される前記光信号のキャリア周波数をＦｏとすると、Ｆｏ±１ｋＨｚであることを特徴とする請求項４〜７のいずれかに記載の受光装置の受光感度制御システム。
【請求項９】
前記リモコン装置から送信される前記光信号のキャリア周波数は３６ｋＨｚであることを特徴とする請求項４〜８のいずれかに記載の受光装置の受光感度制御システム。
【請求項１０】
前記ＬＥＤから発光する光のキャリア周波数は、３５ｋＨｚ又は３７ｋＨｚであることを特徴とする請求項９に記載の受光装置の受光感度制御システム。
【発明の詳細な説明】
【技術分野】
【０００１】
本発明は、リモートコントロール装置（以下、リモコン装置と記述する場合もある）によって操作される電子機器に備えられたリモコン受光装置の受光感度制御システムに関する。
【背景技術】
【０００２】
従来から、テレビやビデオなどの電子機器を遠隔操作する際には、光信号を利用したリモコン装置が用いられている。この光信号は、受信側である電子機器に備えられた受光装置で受光される。受光装置にはフォトダイオードなどの受光素子が設けられ、受光素子に入射した光信号は電気信号に変換され、その電気信号がマイコン（マイクロコンピュータ）に与えられて電子機器を制御する。また、受光装置は、安定した電気信号をマイコンに送信するために、受光素子に入射する光量が高いときは受光感度を低くし、光量が低いときは受光感度を高くするＩＣ（Ｉｎｔｅｇｒａｔｅｄ  Ｃｉｒｃｕｉｔ）を内蔵している。
【０００３】
しかしながら、現在の受光装置は、受光素子の品質の差異などにより、同じ構成の受光装置においても感度にばらつきが生じることは避けられない状況となっている。つまり、テレビを例に挙げると、同じ構成のテレビを比較した場合でも、そのテレビから５ｍ離れた位置からリモコン装置で操作した場合に、操作可能なテレビと不可能なテレビがある。これは、リモコン装置からの光信号が空気中で減衰するため、受光装置で受光される光信号が弱くなり、このとき、受光感度の高い受光装置であれば、弱い信号を受信可能であるが、受光感度の低い受光装置では信号として受信できないからである。
【０００４】
また、照明器具や太陽からの光が受光素子に入射し、その光がノイズとなって電子機器の誤動作を招くことが問題となっている。特に、インバータ蛍光灯には３０ｋＨｚ〜６０ｋＨｚのキャリア周波数成分が存在するため、そのキャリア周波数の一部は、赤外線を利用したリモコン装置の受光装置のキャリア周波数に対する受光感度分布に相当する。したがって、周囲にインバータ蛍光灯が存在する場合、インバータ蛍光灯ノイズ成分を検出し誤動作を起こしたり、送信信号を正確に受信できないといった問題がある。これは、受光装置の受光感度が高いことにより、リモコン装置からの光信号以外の光を検知するために起きる現象である。
【０００５】
このような状況を受けて、受光装置の前面に光学フィルタを設け、ノイズ源となる光を遮断する方法などが採られてきた（例えば、特許文献１参照）。
【０００６】
また、インバータ蛍光灯の波長は可視域５００ｎｍ〜赤外１０００ｎｍ付近にピークがあり、赤外線リモコン装置の赤外線信号は８５０〜９５０ｎｍ付近を使用している。したがって、波長選択型光学フィルタにより分光することでＳＮ比を高める手段もある。
【特許文献１】特開２００６−４１６５７号公報
【発明の開示】
【発明が解決しようとする課題】
【０００７】
しかし、波長選択型光学フィルタは一般に高価であり、赤外線リモコン装置の受光装置等の安価な機器には適さない。また、受光装置の前面にフィルタを設けた場合は、リモコン装置からの光信号もフィルタによって減衰されるため、リモコン装置による遠隔操作範囲が短くなるという問題がある。また、上述のような受光装置の受光感度のはばらつきに応じた対応ができないという問題がある。
【０００８】
そこで本発明は、上記の問題に鑑みてなされたものであり、受光装置の受光感度に応じた、受光装置の受光感度制御システムを提供することを目的とするものである。また、本発明の目的は受光装置の受光感度を低下させることで、光ノイズによる電子機器の誤動作を軽減することである。
【課題を解決するための手段】
【０００９】
上記目的を達成するため、本発明による受光装置の受光感度制御システムは、光信号を送信するリモートコントロール装置によって操作可能な電子機器に備えられた、光信号を受信する受光装置と、受光装置に接続され、受光装置で受信された光信号を読み取り、電子機器を制御するマイクロコンピュータと、受光装置に内蔵され、受光装置の受光感度を制御するＩＣとを備えた受光装置の受光感度制御システムにおいて、マイクロコンピュータに接続されたＬＥＤと、ＬＥＤから発せられた光の一部を前記受光装置に導く導光手段とを備えることを特徴とする。
【００１０】
このような構成によると、受光感度の高い受光装置が備えられた場合、エラー信号が頻繁にマイコンに送信され、このエラー信号の頻度によって、マイコンはＬＥＤが発する光を制御し、その光がプリズムによって受光装置に入射し、この入射信号を感知したＩＣが受光感度の制御を行い、ノイズの受光を軽減させることが可能になる。したがって、マイコンの誤動作を軽減することが可能になる。
【００１１】
またさらに、上記ＩＣは、受光装置に入射する光量が増加すると受光感度を下げ、光量が減少すると受光感度を上げることを特徴とする。
【００１２】
このような構成によると、受光装置は受光による電気信号を安定してマイコンに送信することが可能になる。
【００１３】
またさらに、ＬＥＤから発光する光のキャリア周波数は、受光装置の受光可能なキャリア周波数範囲内の周波数であり、受光装置の受光感度ピークはリモコン装置からの送信される光信号のキャリア周波数に対応しており、ＬＥＤから発光する光のキャリア周波数は、受光装置の受光感度ピークキャリア周波数に対しずれていることが望ましい。
【００１４】
このような構成により、ＬＥＤから発せられる光を確実に受光装置が受光可能になり、また、受光装置がＬＥＤから発せられる光をリモコン装置からの光信号として誤認識する確率を軽減できる。
【００１５】
またさらに、導光手段は、プリズムを含むことが望ましい。
【００１６】
このような構成により、プリズムは単体でＬＥＤから発せられる光を導光することが可能であり、省スペース化が望める。また、受光装置は受光角度によっても受光感度に差があるため、受光感度の高い受光角度で光を入射させることが理想であるが、プリズムを用いれば、リモコン装置からの光信号が受光器に入るのを遮らないため、受光装置の受光感度の高い受光角度に合わせた入射が可能になる。
【００１７】
またさらに、導光手段は、光学シートを含んでもよい。
【００１８】
このような構成により、透過率と反射率の割合を、光学シートの構成によって容易に選択可能なため、導光手段の構成の自由度が増すことになる。したがって、電子機器の様々な配置規制や外形規制に対応した導光手段を構成することが可能になる。
【００１９】
またさらに、ＬＥＤは、前記電子機器の電源がオン状態のときに発光する電源インジケータ用のＬＥＤであることが望ましい。
【００２０】
このような構成により、ＬＥＤを新たに設ける必要がなく、構成の簡易化及びコストの低下が可能になる。
【００２１】
またさらに、ＬＥＤから発光する光のキャリア周波数は、リモコン装置から送信される光信号のキャリア周波数をＦｏとすると、Ｆｏ±１ｋＨｚであることが望ましい。
【００２２】
このような構成により、受光装置が有する受光感度分布ピークから若干ずれたキャリア周波数となるため、適度な光量として受光装置が受光することが可能になり、したがって、このＬＥＤから発せられた光がノイズ信号となることがない。
【００２３】
またさらに、リモコン装置から送信される光信号のキャリア周波数は３６ｋＨｚであることが望ましい。また、ＬＥＤから発光する光のキャリア周波数は、３５ｋＨｚ又は３７ｋＨｚであることが望ましい。
【００２４】
このような構成によると、汎用の赤外線リモコン装置及び受光装置を利用することが可能なり、新たに回路設計などを行う必要が無い。
【発明の効果】
【００２５】
本発明の受光装置の受光感度制御システムによれば、電子機器の光ノイズによる誤動作を軽減することが可能となる。
【発明を実施するための最良の形態】
【００２６】
以下に、本発明の実施形態について図面を参照しながら詳述する。先ず、本発明の第１実施形態について説明する。図１は本実施形態の受光感度制御システムの模式図である。図２は本実施形態の受光感度システムにおける光路を示す模式図である。図３は本実施形態の受光感度システムにおけるＬＥＤ３から発せられる光の送信波形を示す模式図である。なお、図中で図１と同じ名称で同じ機能を果たす部分には同一の符号を付し、重複する説明は省略する。後述する第２〜＊実施形態においても同様とする。
【００２７】
図１に示す受光装置の受光感度制御システム（以下、受光感度制御システムと記述する）は、マイコン１、マイコン１に接続された受光装置２、マイコン１に接続された電源インジケータ用ＬＥＤ３、及び、受光装置２とＬＥＤ３とに近接して配置されたプリズム４とを備えている。
【００２８】
本実施形態の受光感度制御システムは、テレビ用の受光感度制御システムである。まず、本実施形態の各部の構成から説明する。
【００２９】
マイコン１は受光装置２と配線を介して接続されており、受光装置２からの電気信号を受け取り、その電気信号によりこのテレビのチャンネル変更や音量変更などの種々の動作を制御する。また、受光装置２からの電気信号を正規信号かエラー信号か判断し、正規信号であればその正規信号に対応した動作制御を行い、エラー信号と判断した場合はその信号を拒絶する。この信号の判断は、信号のパルス幅の長短やヘッダー信号の有無などによって判断する。また、マイコン１は、このテレビの前面側（表示面側）に設けられた手動ボタンとも接続され、この手動ボタンからの電気信号により同様の動作制御が可能である。また、マイコン１は、ＬＥＤ３とも接続されＬＥＤ３の発光、消灯、発光時の光量、ＬＥＤ３から発せられる光のキャリア周波数およびキャリア周波数のパルス幅なども制御する。
【００３０】
受光装置２は、内部に、受光部２ａとしてフォトトランジスタを備え、さらに、このフォトトランジスタからの電気信号を、増幅、取り出し、検出及び積分などを行った後、マイコンへその電気信号をデジタル出力するＩＣ２ｂを備える。このＩＣ２ｂには受光信号の自動増幅率制御機能が備わっており、受光部２ａの受光量が多いと受光感度（増幅率）を下げ、受光部２ａの受光量が少ないと受光感度（増幅率）を上げる構成になっている。また、受光部２ａは光の入射角によって受光感度が異なる。一般的には、受光部２ａの受光面に対し垂直方向が最も受光感度が良い。また、受光する光信号のキャリア周波数に対しても受光感度分布を有している。
【００３１】
プリズム４は図２に示すように、上面視において台形形状を成しており、透明なアクリルによって形成されているものを用いる。このプリズム４は、面４ａに垂直に入射した光５ａを透過し、面４ｂではその光の一部５ｂが透過し、他の一部５ｃを面４ｃ方向に反射させ、面４ｃでは、同様に一部を透過させ、他の一部を反射する構成となっている。
【００３２】
また、面４ｃでは、このテレビの外部方向から光６ａが入射し、その入射した光６ｂは、面４ａを透過する。また、面４ｃの位置および角度は、受光部２ａへの光の入射角を考慮して形成されることが望ましい。
【００３３】
ＬＥＤ３はマイコン１に接続されており、このテレビの電源がオン状態になると発光し、オフ状態になると消灯する。ＬＥＤ３から発せられた光５ａは、上述のように、プリズム４の面４ａを透過して、面４ｂにおいてその光の一部５ｂが透過して、このテレビの外部に出射する。光の一部５ｂは、このテレビの使用者にテレビの電源がオン状態であることを通知する。すなわち、テレビの電源がオン状態のときは常に発光している（ただし、後述するように、厳密には間欠点灯している）。
【００３４】
また、ＬＥＤ３から発せられ、プリズム４の面４ｂを透過しない光の一部５ｃすなわち面４ｂによって反射された光は、プリズム４内を通って面４ｃに到達して反射され、反射された光５ｄは面４ａを透過して受光装置２の受光部２ａに入射する。
【００３５】
次に、本実施形態の仕様について説明する。上述のように、受光装置２は入射する光のキャリア周波数に対する受光感度分布を有している。本実施形態での受光感度ピーク、すなわち、最も感度良く受光する周波数を例えば３６ｋＨとする。この周波数は、本実施形態の受光感度制御システムに対して用いられるリモコン装置から発信される光信号のキャリア周波数に相当する。したがって、受光装置２はこのリモコン装置からの光信号を最も感度良く受光する。
【００３６】
しかし、上述したように、受光感度の高い受光装置２に、リモコン装置以外から受光感度ピークに近いキャリア周波数を持つ光（例えばインバータ蛍光灯からの光）が受光装置２に入射した場合、受光装置２からマイコン１にこの入射に対する電気信号が送られる。この電気信号は所定のパルス幅を有していないため、マイコン１ではエラー信号として処理されるが、この処理によってマイコン１の速度が低下する。或いは、エラー信号のタイミングによっては、マイコン１はこの電気信号をエラー信号として処理することができず、誤動作の原因となる。
【００３７】
そこで、エラー信号が単位時間あたりに所定量以上送信される環境であることをマイコン１が判断した場合は、マイコン１はＬＥＤ３のキャリア周波数を調整し、例えば３５ｋＨｚのキャリア周波数にする。さらにその周波数を変調し、変調されたパルス幅を例えば１００ｍｓ、Ｄｕｔｙ５０パーセントとすることで間欠点灯とし、この間欠間隔により光量を調整する（図３参照）。このようにパルス幅変調されたＬＥＤ３から発せられた光は、その一部がプリズム４によって導光されて受光装置２の受光部２ａに入射する。これにより、受光装置２に内蔵されたＩＣ２ｂは光量が多くなったと判断し、受光感度を下げる。したがって、上記のリモコン装置以外からの光はマイコン１に信号として送られることが少なくなり、マイコン１の速度の低下や、誤動作を軽減することが可能になる。
【００３８】
また、ＬＥＤ３から発せられた光のキャリア周波数を受光装置２の受光感度ピークから１ｋＨずらした周波数とすることで、受光光量を抑えることが可能になり、このＬＥＤ３から発生された光によってマイコン１が誤動作を起こす信号の発生を抑えることが可能になる。
【００３９】
次に、本発明の第２実施形態について、図４を参照しながら説明する。本第２実施形態の特徴は、第１実施形態における導光手段の構造の簡素化を図った点にある。これは、第１実施形態の導光手段であるプリズム４では、リモコン装置からの光信号がプリズム４の面４ｃや面４ａを透過する必要があり、これらの面に傷がついたりや塵埃が付着した場合に、リモコン装置からの光信号が散乱される恐れがあるからである。また、プリズム４の材質や面の角度によっては、受光部２ａに到達する光信号の強度が減衰したり光量が減少したりするため、リモコン装置による操作可能距離が短くなる恐れがある。
【００４０】
そこで、本実施形態では、プリズム７を図４に示すような形状にする。また、反射板８を、受光装置２の受光部２ａの正面からずらした位置に配置する。この反射板８はガラス板によって形成されＬＥＤ３からの光がプリズム７によって導光された光が入射する面８ａに全反射シートを貼りつけたものでも良い。
【００４１】
本実施形態によると、リモコン装置からの光信号がプリズム７を透過することが無く、したがって、上述のような、この光信号の強度が減衰したり、光量が減少したりすることがなくなる。
【００４２】
その他本発明は上記の各実施形態に限定されず、本発明の趣旨を逸脱しない範囲で、種々の変更が可能である。例えば、導光手段としては図５に示すように上面視三角形状のプリズム９を設け、面９ａによって、反射する光と透過する光に分離してもよい。これにより構成部材の簡素化を図ることが可能に成るとともに、リモコン装置からの光信号を導光手段がさえぎることがなくなり、この光信号の強度が減衰したり、光量が減少したりすることがなくなる。
【００４３】
またさらに、各導光手段の側面には、半透過半反射型の光学シートを設けても良い。また、ハーフミラーなどの光学材料を用いても良い。またさらに、導光手段の配置位置は、上記の実施例に限られず、ＬＥＤ３から発せられた光の一部を受光装置２の受光部２ａに導光し、且つ、受光装置２の受光可能角度範囲内に入射させるような配置であれば良い。すなわち、光学シートや光学材料の組み合わせにより、種々の変更が可能となり、これにより、様々な電子機器の外形規制や配置規制にも対応することが可能になる。
【図面の簡単な説明】
【００４４】
【図１】本発明の第一実施形態における受光感度制御システムの模式図である。
【図２】第一実施形態における光路を示す模式図である。
【図３】第一実施形態におけるＬＥＤからの光の送信波形を示す図である。
【図４】第二実施形態の模式図である。
【図５】本発明の実施形態の変形例を示す模式図である。
【符号の説明】
【００４５】
１    マイコン
２    受光装置
２ａ  受光部
２ｂ  ＩＣ
３    ＬＥＤ
４    プリズム
７    プリズム
８    反射板
９    プリズム
【図１】
2008131425.tif 000003
【図２】
2008131425.tif 000004
【図３】
2008131425.tif 000005
【図４】
2008131425.tif 000006
【図５】
2008131425.tif 000007